【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
壁構造又は壁式構造の建物において、該壁構造又は壁式構造の建物を構成する耐力壁に任意間隔を持って穿たれたコア抜き穴、該コア抜き穴に植設された接着系アンカー、該接着系アンカーにて前記壁構造又は壁式構造の建物を構成する耐力壁に装着可能な繊維補強コンクリート板からなる耐震壁補強板、該耐震壁補強板はエポキシ樹脂を介して接着系アンカーにて前記壁構造又は壁式構造の建物を構成する耐力壁に圧着して耐震壁補強板を耐力壁に一体化することを特徴とする後付け耐震補強壁。
【請求項２】
壁構造又は壁式構造の建物において、該壁構造又は壁式構造の建物を構成する耐力壁に任意間隔を持って穿たれたコア抜き穴、該コア抜き穴に植設された接着系アンカー、該接着系アンカーにて前記壁構造又は壁式構造の建物を構成する耐力壁に装着可能な繊維補強コンクリート板からなる耐震壁補強板、該耐震壁補強板はエポキシ樹脂接着剤を介して接着系アンカーにて前記壁構造又は壁式構造の建物を構成する耐力壁に圧着して耐震壁補強板を耐力壁に一体化することを特徴とする後付け耐震補強壁。
【請求項３】
壁構造又は壁式構造の建物において、該壁構造又は壁式構造の建物を構成する耐力壁に任意間隔を持ってコア抜き穴を穿ち、該コア抜き穴に接着系アンカーを植設し、該接着系アンカーにて前記壁構造又は壁式構造の建物を構成する耐力壁に繊維補強コンクリート板からなる耐震壁補強板を装着可能とし、該耐震壁補強板はエポキシ樹脂又はエポキシ樹脂接着剤を介して接着系アンカーにて前記壁構造又は壁式構造の建物を構成する耐力壁に圧着或いは接着して耐震壁補強板を耐力壁に一体化することを特徴とする耐震補強工法。
【請求項４】
ラーメン構造の建物において、該ラーメン構造の建物を構成する柱や梁並びに開口部側壁や間口を構成する壁面に任意間隔を持ってコア抜き穴を穿ち、該コア抜き穴に接着系アンカーを植設し、該接着系アンカーにて前記ラーメン構造の建物を構成する柱や梁並びに開口部側壁や間口を構成する壁面に繊維補強コンクリート板からなる耐震壁補強板を装着可能とし、該耐震壁補強板はエポキシ樹脂又はエポキシ樹脂接着剤を介して接着系アンカーにて前記ラーメン構造の建物を構成する柱や梁並びに開口部側壁や間口を構成する壁面に圧着或いは接着して耐震壁補強板を耐力壁に一体化することを特徴とする耐震補強工法。
【手続補正２】
【補正対象書類名】明細書
【補正対象項目名】全文
【補正方法】変更
【補正の内容】
【発明の詳細な説明】
【発明の名称】後付け耐震補強壁並びにその耐震補強工法
【技術分野】
【０００１】
本発明は、壁構造、又は壁式構造の建物を耐震補強するための後付け耐震補強壁、並びにその耐震補強工法に関するものである。
【背景技術】
【０００２】
学校、病院、共同住宅等の建物は、多くの場合、建物の構造形式を壁構造、又は壁式構造を採用して構築してきた。壁構造、又は壁式構造の建物は、所謂、カーテンウォール形式の建物と異なり、柱や梁を用いず壁や床などの面状の部材の組み合わせで建物を支える構造や（壁構造）、壁面や床面など平面的な構造材を組み合わせ、その壁で構造を支えるために、室内空間に耐力壁を設けた構造（壁式構造）の建物である。
【０００３】
従って、壁構造や壁式構造の建物を耐震補強するには、従来から建物の耐力壁に補強用の斜材や筋交いを入れるブレース形式の耐震補強がなされてきた。然しながら、ブレース形式の耐震壁補強部材を採用した耐震壁補強工法では、所謂、バッテン形状のブレースが、耐震補強壁や窓開口部に形成されてしまい建物全体の意匠に悪影響を及ぼす他、特に開口部においては、開口部の機能を損なうことが多いために、ブレースを用いた耐震壁補強工事の採用、並びにその実施には多くの戸惑いや逡巡がある。
【０００４】
また、従来の耐震壁補強工事においては、建物の耐力壁における構造鉄骨や鉄筋に直接ブレースを固着するなど、大規模な工事となり、学校、病院、共同住宅などでは、その建物の使用目的からして、騒音や振動よる不快感を回避するために工事中の建物利用に課題があり、多くの場合、耐震壁補強工事の着工は、建物の使用を一時止めた後に施工されるような対策が採られている。
【発明の概要】
【発明が解決しようとする課題】
【０００５】
本発明は、従来から一般的に採用されてきた建物の耐力壁に補強用の斜材や筋交いを入れるブレース形式の耐震壁補強工法に替わるものである。そして、本発明は、ブレース形式の耐震壁補強部材を採用した耐震壁補強工法では、バッテン形状のブレースが、耐震補強壁や窓開口部に形成されてしまい建物全体の意匠に悪影響を及ぼす他、開口部においては、開口部の機能を損なうことが多いために、ブレースを用いた耐震壁補強工事の採用、並びにその実施には多くの戸惑いや逡巡があった点を解決するものである。
【０００６】
また、従来の耐震壁補強工事においては、建物の耐力壁における構造鉄骨や鉄筋に直接ブレースを固着するなど、大規模な工事となり、学校、病院、共同住宅などでは、その建物の使用目的からして、騒音や振動よる不快感を回避するために工事中の建物利用に課題があり、多くの場合、耐震壁補強工事の着工は、建物の使用を一時止めた後に施工されるような対策が採られていた点に鑑みて、本発明は、工事中の騒音や振動を最小限に軽減する施工方法を開発した。
【課題を解決するための手段】
【０００７】
本発明は、上述した課題を解決するために、壁構造又は壁式構造の建物において、壁構造又は壁式構造の建物を構成する耐力壁に任意間隔を持って穿たれたコア抜き穴、該コア抜き穴に植設された接着系アンカー、該接着系アンカーにて前記壁構造又は壁式構造の建物を構成する耐力壁に装着可能な繊維補強コンクリート板からなる耐震壁補強板、該耐震壁補強板はエポキシ樹脂を介して接着系アンカーにて前記壁構造又は壁式構造の建物を構成する耐力壁に圧着して耐震壁補強板を耐力壁に一体化する後付け耐震補強壁を提供するものである。
【０００８】
また、本発明において、上述した課題を解決するための他の実施例は、壁構造又は壁式構造の建物において、壁構造又は壁式構造の建物を構成する耐力壁に任意間隔を持って穿たれたコア抜き穴、該コア抜き穴に植設された接着系アンカー、該接着系アンカーにて前記壁構造又は壁式構造の建物を構成する耐力壁に装着可能な繊維補強コンクリート板からなる耐震壁補強板、該耐震壁補強板はエポキシ樹脂接着剤を介して接着系アンカーにて前記壁構造又は壁式構造の建物を構成する耐力壁に圧着して耐震壁補強板を耐力壁に一体化する後付け耐震補強壁を提供するものである。
【０００９】
そして、本発明は、上述した課題を解決するための手段として、壁構造又は壁式構造の建物において、該壁構造又は壁式構造の建物を構成する耐力壁に任意間隔を持ってコア抜き穴を穿ち、該コア抜き穴に接着系アンカーを植設し、該接着系アンカーにて前記壁構造又は壁式構造の建物を構成する耐力壁に繊維補強コンクリート板からなる耐震壁補強板を装着可能とし、該耐震壁補強板はエポキシ樹脂又はエポキシ樹脂接着剤を介して接着系アンカーにて前記壁構造又は壁式構造の建物を構成する耐力壁に圧着或いは接着して耐震壁補強板を耐力壁に一体化することを特徴とする耐震補強工法を開発した。
【００１０】
更に、上述した耐震補強工法は、ラーメン構造の建物においても応用可能で、該ラーメン構造の建物を構成する柱や梁並びに開口部側壁や間口を構成する壁面に任意間隔を持ってコア抜き穴を穿ち、該コア抜き穴に接着系アンカーを植設し、該接着系アンカーにて前記ラーメン構造の建物を構成する柱や梁並びに開口部側壁や間口を構成する壁面に繊維補強コンクリート板からなる耐震壁補強板を装着可能とし、該耐震壁補強板はエポキシ樹脂又はエポキシ樹脂接着剤を介して接着系アンカーにて前記ラーメン構造の建物を構成する柱や梁並びに開口部側壁や間口を構成する壁面に圧着、或いは接着して耐震壁補強板を耐力壁に一体化することを特徴とする耐震補強工法にも発展可能である。
【発明の効果】
【００１１】
斯くして、本発明は、従来から一般的に採用されてきた建物の耐力壁に補強用の斜材や筋交いを入れるブレース形式の耐震壁補強工法に替わり、意匠的にも機能的にも問題の生じない耐震壁補強方法を提供することが可能である。
【００１２】
即ち、ブレース形式の耐震壁補強部材を採用した従来の耐震壁補強工法では、バッテン形状のブレースが、耐震補強壁や窓開口部に形成されてしまい建物全体の意匠に悪影響を及ぼす他、開口部においては、開口部の機能を損なうことが多かったが、本発明では、壁構造又は壁式構造の建物において、壁構造又は壁式構造の建物を構成する耐力壁に任意間隔を持って穿たれたコア抜き穴、該コア抜き穴に植設された接着系アンカー、該接着系アンカーにて前記壁構造又は壁式構造の建物を構成する耐力壁に装着可能な繊維補強コンクリート板からなる耐震壁補強板、該耐震壁補強板はエポキシ樹脂を介して接着系アンカーにて前記壁構造又は壁式構造の建物を構成する耐力壁に圧着、或いは接着することで耐震壁補強板を耐力壁に一体化した後付け耐震補強壁を提供することによりブレース形式の耐震壁補強部材を不要として、課題の解決をはかった。
【００１３】
また、従来の耐震壁補強工事においては、建物の耐力壁における構造鉄骨や鉄筋に直接ブレースを固着するなど、大規模な工事となり、学校、病院、共同住宅などでは、その建物の使用目的からして、騒音や振動よる不快感を回避するために工事中の建物利用に課題があり、多くの場合、耐震壁補強工事の着工は、建物の使用を一時止めた後に施工されるような対策が採られていたが、本発明においては、耐力壁に装着可能な繊維補強コンクリート板からなる耐震壁補強板を用いて、且つ、該繊維補強コンクリート板からなる耐震壁補強板を刃先にダイヤモンドチップの付いたダイヤモンドカッターで接着系アンカーの植設用コア抜き穴を穿設することで、工事中の騒音や振動を最小限に軽減する施工方法を開発することで、耐震壁補強工事中でも建物利用が可能な後付け耐震補強壁、並びにその耐震補強工法を提供することができた。
【００１４】
更に、本発明においては、ラーメン構造の建物においても応用可能で、該ラーメン構造の建物を構成する柱や梁並びに開口部側壁や間口を構成する壁面に任意間隔を持ってコア抜き穴を穿ち、該コア抜き穴に接着系アンカーを植設し、該接着系アンカーにて前記ラーメン構造の建物を構成する柱や梁並びに開口部側壁や間口を構成する壁面に繊維補強コンクリート板からなる耐震壁補強板を装着可能とし、該耐震壁補強板はエポキシ樹脂又はエポキシ樹脂接着剤を介して接着系アンカーにて前記ラーメン構造の建物を構成する柱や梁並びに開口部側壁や間口を構成する壁面に圧着、或いは接着することで耐震壁補強板を耐力壁に一体化する耐震補強工法にも発展可能である。
【図面の簡単な説明】
【００１５】
【図１】実施例１の実施箇所を示す説明図である。
【図２】実施例２の実施箇所を示す説明図である。
【発明を実施するための形態】
【００１６】
斯くして、本発明は、壁構造又は壁式構造の建物において、壁構造又は壁式構造の建物を構成する耐力壁に任意間隔を持って穿たれたコア抜き穴、該コア抜き穴に植設された接着系アンカー、該接着系アンカーにて前記壁構造又は壁式構造の建物を構成する耐力壁に装着可能な繊維補強コンクリート板からなる耐震壁補強板、該耐震壁補強板はエポキシ樹脂を介して接着系アンカーにて前記壁構造又は壁式構造の建物を構成する耐力壁に圧着して耐震壁補強板を耐力壁に一体化することを要旨とする。
【００１７】
また、本発明には、壁構造又は壁式構造の建物において、壁構造又は壁式構造の建物を構成する耐力壁に任意間隔を持って穿たれたコア抜き穴、該コア抜き穴に植設された接着系アンカー、該接着系アンカーにて前記壁構造又は壁式構造の建物を構成する耐力壁に装着可能な繊維補強コンクリート板からなる耐震壁補強板、該耐震壁補強板はエポキシ樹脂接着剤を介して接着系アンカーにて前記壁構造又は壁式構造の建物を構成する耐力壁に圧着して耐震壁補強板を耐力壁に一体化することも好ましい。
【００１８】
そして、本発明は、上述した課題を解決するための手段として、壁構造又は壁式構造の建物において、該壁構造又は壁式構造の建物を構成する耐力壁に任意間隔を持ってコア抜き穴を穿ち、該コア抜き穴に接着系アンカーを植設し、該接着系アンカーにて前記壁構造又は壁式構造の建物を構成する耐力壁に繊維補強コンクリート板からなる耐震壁補強板を装着可能とし、該耐震壁補強板はエポキシ樹脂又はエポキシ樹脂接着剤を介して接着系アンカーにて前記壁構造又は壁式構造の建物を構成する耐力壁に圧着或いは接着して耐震壁補強板を耐力壁に一体化することを特徴とする耐震補強工法も好ましい。
【００１９】
更に、本発明は、ラーメン構造の建物においても応用可能で、該ラーメン構造の建物を構成する柱や梁並びに開口部側壁や間口を構成する壁面に任意間隔を持ってコア抜き穴を穿ち、該コア抜き穴に接着系アンカーを植設し、該接着系アンカーにて前記ラーメン構造の建物を構成する柱や梁並びに開口部側壁や間口を構成する壁面に繊維補強コンクリート板からなる耐震壁補強板を装着可能とし、該耐震壁補強板はエポキシ樹脂又はエポキシ樹脂接着剤を介して接着系アンカーにて前記ラーメン構造の建物を構成する柱や梁並びに開口部側壁や間口を構成する壁面に圧着、或いは接着して耐震壁補強板を耐力壁に一体化することを特徴とする耐震補強工法であることも好ましい。
【００２０】
而して、本発明の実施にあたり、要旨となる言葉の定義を説明しておきたい。本発明において、コア抜き穴とは、刃先にダイヤモンドチップのついたダイヤモンドカッターでコンクリートから成る壁構造又は壁式構造の建物の耐力壁に穴開けした接着系アンカー植設用の穴を示しており、該コア抜き穴をあける作業は騒音と振動を最小限に抑えることができる。
【００２１】
次に、コア抜き穴に植設される接着系アンカーであるが、該接着系アンカーとは、ケミカルアンカー（日本デコラックス社の商品名）と呼ばれているもので、コンクリートの耐力壁に前記ダイヤモンドカッターで穴開けを行い、切り粉や水分を除去し更にケミカルブラシでコア抜き穴内を清掃してケミカルアンカーをコア抜き穴に挿入して、先端を斜めに切った異形鋼棒を打ち込むことによりケミカルアンカーの容器が破壊され、化学反応がおきてアンカーがコンクリートの耐力壁に植設されるものである。
【００２２】
本発明において、前記接着系アンカーとエポキシ樹脂、或いはエポキシ樹脂接着剤にて耐震壁補強をする耐力壁に貼着される繊維補強コンクリート板とは、合成繊維や鋼繊維、そして炭素繊維やアラミド繊維等をコンクリートに複合したコンクリート板材で、本来、圧縮力に強く引張り力に弱いコンクリートを繊維で複合補強して強靭な引張り力を有する耐震壁補強板を提供して、補強する建物全体の利用可能な壁面箇所を選び、該選定箇所の使用可能な面積から意匠性を配慮した形態を設計に採用して、繊維補強コンクリート板の可塑性を利用した成形が可能な型枠の計画や設計を行う。
【００２３】
また、繊維補強コンクリート板製作用の型枠の種類はその数が最小限となる意匠設計を行うことで経済合理性を追求することが可能となり、従来のブレース形式の耐震壁補強工法に替わり、意匠性の悪さや、開口部の機能をなくしてしまう欠点を解消することができる。
【００２４】
更に、従来の耐震壁補強工事においては、建物の耐力壁における構造鉄骨や鉄筋に直接ブレースを固着するなど、大規模な工事となり、当該工事において、ドリルによる穴開けアンカー施工を用いると、該アンカー工法により騒音と振動をより多く出す工事になってしまい、工法の汎用性にも係わらず普及に至らない理由となっている。
【００２５】
斯くして、従来工法のエポキシ系樹脂圧着による既存建物との一体化は、エポキシ樹脂付着強度を確保するため既存建物の表面劣化による表面剥離を回避する必要があり、表層に高圧洗浄やケレンを施す。そのために工事期間中は、建物前面を工事環境の保全や安全確保のため単管足場を仮設し飛散防止ネットで覆ってきた。建物全体を覆われた閉塞性は、建物利用者に著しい不快感を与えるため、工事中の建物利用を難しくしている。
【００２６】
本発明は、この問題点をもう一つの工法を組み込むことで解決を図る。この工法は、エポキシ系樹脂圧着による既存建物との一体化とケミカルアンカー（日本デコラックス社の商品名）、即ち接着系アンカーを併用することにより、表面剥離の問題を解決し閉塞性を改善する。また、必要な設計強度の接着系アンカーに適合するコア抜き加工を既存建物の補強面に施し、騒音と振動を最小限に軽減することにより、工事中の建物利用を可能とする。
【００２７】
耐震改修工事の早期推進は、生活者の安全に欠くことのできない懸案となっている。本発明の要旨は全て従来工法に立脚した後付け耐震壁補強技術がベースとなり、夫々の専門分野でストックされた技術を複合的に選択して課題を解消する新たな工法を開発した。
【００２８】
尚、耐震設計状の強度は構造形式を壁構造又は壁式構造のみならずラーメン構造を構成する柱と梁の後付け補強量として数値化が可能であり、繊維補強コンクリートによる後付け耐震補強工法として本発明を展開することが可能で、本発明は、生活者の安全を確保する耐震改修工事の早期化に大きな推進力となる。
【実施例１】
【００２９】
図１は実施例１の実施箇所を示す説明図であり、例えば、共同住宅のバルコニー側１全体を示している。そして２は、バルコニー側１の壁構造又は壁式構造部分に設定した耐震補強部である。本発明は、前記壁構造又は壁式構造の耐震補強部２において、該耐震補強部２を構成する耐力壁に任意間隔を持って穿いたコア抜き穴、該コア抜き穴に植設された接着系アンカー、該接着系アンカーにて耐震補強部２を構成する耐力壁に装着可能な繊維補強コンクリート板からなる耐震壁補強板、該耐震壁補強板はエポキシ樹脂を介して接着系アンカーにて前記壁構造又は壁式構造の建物を構成する耐力壁に圧着して耐震壁補強板を耐力壁に一体化する後付け耐震補強壁である。
【００３０】
尚、耐力壁に装着される繊維補強コンクリート板からなる耐震壁補強板の形状は、板材形状又はコの字形状を有しており、出来るだけ幅広部材や長さのある部材として構成できるように、繊維補強コンクリート板の型枠設計をすることが重要である。
【００３１】
また、実施例１は、図１に示す耐震補強部２を柱部３と梁部４に分け、ラーメン構造の建物に想定すると、柱部３と梁部４からなるラーメン構造の建物において、該ラーメン構造の建物を構成する柱部３や梁部４を構成する壁面に任意間隔を持ってコア抜き穴を穿ち、該コア抜き穴に接着系アンカーを植設し、該接着系アンカーにて前記ラーメン構造の建物を構成する柱部３や梁部４を構成する壁面に繊維補強コンクリート板からなる耐震壁補強板を装着可能とし、該耐震壁補強板はエポキシ樹脂又はエポキシ樹脂接着剤を介して接着系アンカーにて前記ラーメン構造の建物を構成する柱部３や梁部４を構成する壁面に圧着或いは接着して耐震壁補強板を耐力壁に一体化する耐震補強工法を提供する。
【実施例２】
【００３２】
図２は実施例２の実施箇所を示す説明図であり、例えば、共同住宅の耐力壁５全体を示している。従って耐力壁５の面は窓等の開口部６を除いて壁面全体が補強の対象にとなるが、図２においては解りやすく説明する意味でバルコニー壁面を示している。
【００３３】
実施例２は、壁構造又は壁式構造の建物において、該壁構造又は壁式構造の建物を構成する耐力壁５に任意間隔を持って穿たれたコア抜き穴、該コア抜き穴に植設された接着系アンカー、該接着系アンカーにて前記壁構造又は壁式構造の建物を構成する耐力壁５に装着可能な繊維補強コンクリート板からなる耐震壁補強板、該耐震壁補強板はエポキシ樹脂を介して接着系アンカーにて前記壁構造又は壁式構造の建物を構成する耐力壁５に圧着して耐震壁補強板を耐力壁５に一体化した後付け耐震補強壁、並びにその耐震補強工法を提供した。
【００３４】
また、実施例２の他の応用例は、壁構造又は壁式構造の建物において、該壁構造又は壁式構造の建物を構成する耐力壁５に任意間隔を持って穿たれたコア抜き穴、該コア抜き穴に植設された接着系アンカー、該接着系アンカーにて前記壁構造又は壁式構造の建物を構成する耐力壁５に装着可能な繊維補強コンクリート板からなる耐震壁補強板、該耐震壁補強板はエポキシ樹脂接着剤を介して接着系アンカーにて前記壁構造又は壁式構造の建物を構成する耐力壁５に圧着して耐震壁補強板を耐力壁５に一体化した後付け耐震補強壁、並びにその耐震補強工法をも提供した。
【００３５】
斯くして、本発明に関する繊維補強コンクリート板の強度を配慮した板厚の設定方法を考察すれば、本発明は、窓などの開口により建物全体の壁量バランスの歪を、繊維補強コンクリート板からなる耐震壁補強板を付加することでプラスに補正し、バランスを回復させると共に全体の耐震性能を向上させるというものである。
【００３６】
以下にその補強板算定の手順を考察すると、例えば、
バルコニー側（階段側）全面積    約６３０平方メートル
バルコニー側開口欠損部  面積    約４１０平方メートル
階段側開口欠損部        面積    約１１３平方メートル
面及びα面欠損部の差異（アンバランス度）４１０平方メートル−１１３平方メートル＝２９７平方メートル
そこで面と面の差異分を補正するために補正を行う（バランスの回復）
差異分の壁量        Ｖ＝２９７平方メートル×０．２ｍ＝５９．４平方メートル
図２の補強板の面積  Ａ＝ｗ１．０５（平均）×ｈ１３．８９×４+１３．８５（平均）×０．５５×６＝１０４平方メートル
次に補強板の厚みｔを想定すると
差異分の壁量Ｖを補強板面積Ａで割る  ｔ＝Ｖ／Ａ＝０．５７ｍ
普通コンクリート圧着強度：超高強度繊維補強コンクリート強度  １：２０より
０．５７／２０＝０．０２８５ｍ    ｔ＝２．９ｃｍ  となる。
【００３７】
即ち、繊維補強コンクリート板からなる耐震壁補強板繊維補強コンクリート板からなる耐震壁補強板の厚さは、上述した建物の壁面で、２．９ｃｍ程度となり、耐力壁に貼着する耐震壁補強板の厚さは、建物の意匠に影響を与えない。
【００３８】
斯くして、本発明は、従来から一般的に採用されてきた建物の耐力壁に補強用の斜材や筋交いを入れるブレース形式の耐震壁補強工法に替わり、意匠的にも機能的にも問題の生じない耐震壁補強方法を提供することが可能である。
【００３９】
そして、ブレース形式の耐震壁補強部材を採用した従来の耐震壁補強工法では、バッテン形状のブレースが、耐震補強壁や窓開口部に形成されてしまい建物全体の意匠に悪影響を及ぼす他、開口部においては、開口部の機能を損なうことが多かったが、本発明では、壁構造又は壁式構造の建物において、壁構造又は壁式構造の建物を構成する耐力壁に任意間隔を持って穿たれたコア抜き穴、該コア抜き穴に植設された接着系アンカー、該接着系アンカーにて前記壁構造又は壁式構造の建物を構成する耐力壁に装着可能な繊維補強コンクリート板からなる耐震壁補強板、該耐震壁補強板はエポキシ樹脂を介して接着系アンカーにて前記壁構造又は壁式構造の建物を構成する耐力壁に圧着、或いは接着することで耐震壁補強板を耐力壁に一体化した後付け耐震補強壁を提供することによりブレース形式の耐震壁補強部材を不要として、課題の解決をはかった。
【００４０】
また、従来の耐震壁補強工事においては、建物の耐力壁における構造鉄骨や鉄筋に直接ブレースを固着するなど、大規模な工事となり、学校、病院、共同住宅などでは、その建物の使用目的からして、騒音や振動よる不快感を回避するために工事中の建物利用に課題があり、多くの場合、耐震壁補強工事の着工は、建物の使用を一時止めた後に施工されるような対策が採られていたが、本発明においては、耐力壁に装着可能な繊維補強コンクリート板からなる耐震壁補強板を用いて、且つ、該繊維補強コンクリート板からなる耐震壁補強板を刃先にダイヤモンドチップの付いたダイヤモンドカッターで接着系アンカーの植設用コア抜き穴を穿設することで、工事中の騒音や振動を最小限に軽減する施工方法を開発することで、耐震壁補強工事中でも建物利用が可能な後付け耐震補強壁、並びにその耐震補強工法を提供することができた。
【符号の説明】
【００４１】
１  バルコニー側
２  耐震補強部
３  柱部
４  梁部
５  耐力壁
６  開口部
【手続補正３】
【補正対象書類名】図面
【補正対象項目名】全図
【補正方法】変更
【補正の内容】
【図１】
2010037925.tif 000001
【図２】
2010037925.tif 000002